(57)【特許請求の範囲】
【請求項１】
帯状の剥離シートの一方の面に接着シートが仮着された原反を繰り出す繰出手段と、前記繰出手段で所定の方向に繰り出された原反における剥離シートから前記接着シートを剥離する剥離手段と、前記剥離手段で剥離された前記接着シートを被着体に押圧して貼付する押圧手段と、前記各手段を制御する制御手段とを備え、前記制御手段がシート貼付装置として機能させるシート処理装置において、
帯状の剥離用テープを前記繰出手段で繰り出させ、
前記被着体または他の被着体に貼付された前記接着シートまたは他の接着シートに前記繰出手段で繰り出される剥離用テープを貼付し、当該剥離用テープを前記所定の方向に繰り出して、前記被着体または他の被着体から前記接着シートまたは他の接着シートを前記剥離手段で剥離させ、
前記制御手段がシート剥離装置としても機能させることを特徴とするシート処理装置。
【請求項２】
前記制御手段は、前記繰出手段にセットされた前記原反と前記剥離用テープとを判別する切換え手段を備え、前記切換え手段の判別結果を基に、前記シート貼付装置としての機能と、前記シート剥離装置としての機能とを切り換えることを特徴とする請求項１に記載のシート処理装置。
【請求項３】
前記剥離手段は、剥離部材を備え、当該剥離部材を前記被着体または他の被着体に離間接近させる接離手段を備えていることを特徴とする請求項１または請求項２に記載のシート処理装置。
【請求項４】
帯状の剥離シートの一方の面に接着シートが仮着された原反を繰り出す繰出手段と、前記繰出手段で所定の方向に繰り出された原反における剥離シートから前記接着シートを剥離する剥離手段と、前記剥離手段で剥離された前記接着シートを被着体に押圧して貼付する押圧手段とを備えてシート貼付装置として機能するシート処理装置を用い、
帯状の剥離用テープを前記繰出手段で繰り出させ、
前記被着体または他の被着体に貼付された前記接着シートまたは他の接着シートに前記繰出手段で繰り出される剥離用テープを貼付し、当該剥離用テープを前記所定の方向に繰り出して、前記被着体または他の被着体から前記接着シートまたは他の接着シートを前記剥離手段で剥離させ、
シート剥離装置としても機能させることを特徴とするシート処理方法。
【発明の詳細な説明】
【技術分野】
【０００１】
本発明は、シート処理装置および処理方法に関する。
【背景技術】
【０００２】
従来、被着体に接着シートを貼付するシート貼付装置と、被着体から接着シートを剥離するシート剥離装置とが知られている（例えば、特許文献１参照）。
【先行技術文献】
【特許文献】
【０００３】
【特許文献１】特開２０１２−８１６５０号公報
【発明の概要】
【発明が解決しようとする課題】
【０００４】
しかしながら、特許文献１に記載された従来の装置では、基板（被着体）に両面粘着テープ（接着シート）を貼付するテープ貼付機構（シート貼付装置）と、当該被着体から接着シートを剥離するテープ剥離機構（シート剥離装置）との構造が異なるため、それらを構成する部品の点数が増加するという不都合がある。
【０００５】
本発明の目的は、異なる機能を有する装置の共通化を行い、それらを構成する部品の点数が増加することを防止できるシート処理装置および処理方法を提供することにある。
【課題を解決するための手段】
【０００６】
上記目的を達成するために、本発明は、帯状の剥離シートの一方の面に接着シートが仮着された原反を繰り出す繰出手段と、前記繰出手段で所定の方向に繰り出された原反における剥離シートから前記接着シートを剥離する剥離手段と、前記剥離手段で剥離された前記接着シートを被着体に押圧して貼付する押圧手段と、前記各手段を制御する制御手段とを備え、前記制御手段がシート貼付装置として機能させるシート処理装置において、
帯状の剥離用テープを前記繰出手段で繰り出させ、前記被着体または他の被着体に貼付された前記接着シートまたは他の接着シートに前記繰出手段で繰り出される剥離用テープを貼付し、当該剥離用テープを前記所定の方向に繰り出して、前記被着体または他の被着体から前記接着シートまたは他の接着シートを前記剥離手段で剥離させ、前記制御手段がシート剥離装置としても機能させることを特徴とする。
【０００７】
この際、本発明のシート処理装置では、前記制御手段は、前記繰出手段にセットされた前記原反と前記剥離用テープとを判別する切換え手段を備え、前記切換え手段の判別結果を基に、前記シート貼付装置としての機能と、前記シート剥離装置としての機能とを切り換えることが好ましい。
また、本発明のシート処理装置では、前記剥離手段は、剥離部材を備え、当該剥離部材を前記被着体または他の被着体に離間接近させる接離手段を備えていることが好ましい。
【０００８】
一方、本発明のシート処理方法は、帯状の剥離シートの一方の面に接着シートが仮着された原反を繰り出す繰出手段と、前記繰出手段で所定の方向に繰り出された原反における剥離シートから前記接着シートを剥離する剥離手段と、前記剥離手段で剥離された前記接着シートを被着体に押圧して貼付する押圧手段とを備えてシート貼付装置として機能するシート処理装置を用い、帯状の剥離用テープを前記繰出手段で繰り出させ、前記被着体または他の被着体に貼付された前記接着シートまたは他の接着シートに前記繰出手段で繰り出される剥離用テープを貼付し、当該剥離用テープを前記所定の方向に繰り出して、前記被着体または他の被着体から前記接着シートまたは他の接着シートを前記剥離手段で剥離させ、シート剥離装置としても機能させることを特徴とする。
【発明の効果】
【０００９】
以上のような本発明によれば、シート処理装置をシート貼付装置として使用することもできるし、シート剥離装置として使用することもできるので、異なる機能を有する装置の共通化を行い、それらを構成する部品の点数が増加することを防止できる。
【００１０】
この際、押圧手段が被着体を押さえ付ける構成とすれば、接着シートまたは他の接着シートを被着体または他の被着体から剥離するときに、当該被着体または他の被着体が接着シートまたは他の接着シートと共に引っ張られてストレスが与えられたり、損傷したりすることを防止することができる。
また、接離手段を備えれば、シート貼付装置としての最適な位置または、シート剥離装置としての最適な位置に剥離部材を位置させ、適切に接着シートや他の接着シートを貼付したり剥離したりすることができる。
【図面の簡単な説明】
【００１１】
【図１】（Ａ）、（Ｂ）は、本発明の一実施形態に係るシート処理装置の側面図。
【図２】（Ａ）〜（Ｄ）は、シート処理装置の変形例を示す部分側面図。
【発明を実施するための形態】
【００１２】
以下、本発明の一実施形態を図面に基づいて説明する。
なお、本実施形態におけるＸ軸、Ｙ軸、Ｚ軸は、それぞれが直交する関係にあり、Ｘ軸およびＹ軸は、所定平面内の軸とし、Ｚ軸は、前記所定平面に直交する軸とする。さらに、本実施形態では、Ｙ軸と平行な図１中手前方向から観た場合を基準とし、方向を示した場合、「上」がＺ軸の矢印方向で「下」がその逆方向、「左」がＸ軸の矢印方向で「右」がその逆方向、「前」がＹ軸と平行な図１中手前方向で「後」がその逆方向とする。
【００１３】
図１（Ａ）において、シート処理装置１０は、帯状の剥離シートＲＬの一方の面に接着シートとしての第１接着シートＡＳ１が仮着された原反ＲＳを繰り出す繰出手段２０と、繰出手段２０で繰り出された原反ＲＳにおける剥離シートＲＬから第１接着シートＡＳ１を剥離する剥離手段３０と、剥離手段３０で剥離された第１接着シートＡＳ１を被着体としての第１被着体ＷＫ１に押圧して貼付する押圧手段４０と、前記各手段（繰出手段２０、剥離手段３０、押圧手段４０）を制御する制御手段５０とを備え、第１被着体ＷＫ１を搬送する搬送手段６０の上方に配置され、制御手段５０がシート貼付装置として機能させるようになっている。
【００１４】
繰出手段２０は、原反ＲＳを支持する支持ローラ２１と、原反ＲＳを案内するガイドローラ２２と、駆動機器としての回動モータ２３Ａによって駆動され、ピンチローラ２４との間に剥離シートＲＬを挟み込む駆動ローラ２３と、駆動機器としての回動モータ２５Ａによって駆動され剥離シートＲＬを回収する回収ローラ２５とを備えている。
なお、繰出手段２０は、本願発明のシート処理装置１０を制御手段５０がシート剥離装置として機能させる場合（以下「機能変更する場合」という）、図１（Ｂ）に示すように、支持ローラ２１で帯状の剥離用テープＰＴを支持し、ガイドローラ２２で剥離用テープＰＴを案内し、駆動ローラ２３とピンチローラ２４とで剥離用テープＰＴを挟み込み、回収ローラ２５で剥離用テープＰＴを回収するように構成することで、帯状の剥離用テープＰＴを繰り出させることができる。
【００１５】
剥離手段３０は、剥離部材としての剥離板３１と、当該剥離板３１をその出力軸３２Ａで支持し、当該剥離板３１を第１被着体ＷＫ１または他の被着体としての第２被着体ＷＫ２に離間接近させる接離手段であって駆動機器としての回動モータ３２とを備えている。
なお、剥離手段３０は、機能変更する場合、図１（Ｂ）に示すように、剥離板３１で剥離用テープＰＴを折り返すように構成することで、第２被着体ＷＫ２に貼付された他の接着シートとしての第２接着シートＡＳ２に繰出手段２０で繰り出される剥離用テープＰＴを貼付し、当該第２被着体ＷＫ２から第２接着シートＡＳ２を剥離させることができる。
【００１６】
押圧手段４０は、押圧ローラ４１を備えている。
なお、押圧手段４０は、機能変更する場合、図１（Ｂ）に示すように、押圧ローラ４１で第２接着シートＡＳ２を押圧するように構成することで、剥離する第２接着シートＡＳ２を介して第２被着体ＷＫ２を押さえ付けることができる。
【００１７】
制御手段５０は、シーケンサやパーソナルコンピュータ等からなり、電線や電波等の図示しない接続手段で各手段に電気的または電波的に接続され、図１（Ａ）に示すように、本願発明のシート処理装置１０をシート貼付装置として機能させることもできるし、図１（Ｂ）に示すように、本願発明のシート処理装置１０をシート剥離装置として機能させることもできる。なお、制御手段５０は、図示しないスイッチやボタン等で構成された切換え手段を介してシート処理装置１０を機能変更させることができるようになっている。
【００１８】
なお、搬送手段６０は、ベルトコンベアや多関節ロボット等からなり、第１被着体ＷＫ１を搬送面ＴＳに沿って搬送可能に設けられ、図１（Ｂ）に示すように、第２被着体ＷＫ２を搬送面ＴＳに沿って搬送することもできる。
【００１９】
以上のシート処理装置１０の動作を説明する。
先ず、シート処理装置１０を制御手段５０が第１被着体ＷＫ１に第１接着シートＡＳ１を貼付するシート貼付装置として機能させる場合、作業者がシート処理装置１０に原反ＲＳを図１（Ａ）中実線で示すようにセットする。次いで、作業者が切換え手段を介してシート処理装置１０をシート貼付装置として機能させるようにした後、操作パネルやパーソナルコンピュータ等の図示しない操作手段を介して自動運転開始の信号を入力する。すると、剥離手段３０が回動モータ３２を駆動し、図１（Ａ）に示すように、剥離板３１の先端で折り返した剥離シートＲＬが搬送面ＴＳに沿って搬送される第１被着体ＷＫ１の上面に接触しない位置であって、当該剥離板３１と押圧ローラ４１とで第１接着シートＡＳ１および剥離シートＲＬを挟み込まない位置となるように剥離板３１を回動させる。また、押圧ローラ４１は、搬送面ＴＳに沿って搬送される第１被着体ＷＫ１の上面を押圧して回転できる位置となるように、図示しない駆動機器によって移動される。次いで、繰出手段２０が回動モータ２３Ａを駆動し、原反ＲＳを繰り出して図１（Ａ）中実線で示すように、先頭の第１接着シートＡＳ１の先端が剥離板３１の先端で剥離シートＲＬから所定長さ剥離されたことがカメラ等の撮像手段や光学センサ等の図示しない検知手段に検知されると、回動モータ２３Ａの駆動を停止し、スタンバイ状態となる。なお、シート処理装置１０の自動運転が行われている間、繰出手段２０は、回動モータ２５Ａを駆動し、ピンチローラ２４と回収ローラ２５との間に位置する剥離シートＲＬまたは剥離用テープＰＴに所定の張力を付与するようになっている。そして、搬送手段６０によって、第１被着体ＷＫ１が搬送面ＴＳに沿って左方に搬送され、当該第１被着体ＷＫ１が所定の位置に到達したことがカメラ等の撮像手段や光学センサ等の図示しない検知手段に検知されると、繰出手段２０が回動モータ２３Ａを駆動し、第１被着体ＷＫ１の搬送速度に合わせて原反ＲＳを繰り出す。これにより、第１接着シートＡＳ１は、剥離板３１の先端で剥離シートＲＬから剥離され、図１（Ａ）中二点鎖線で示すように、押圧ローラ４１によって第１被着体ＷＫ１の上面に押圧されて貼付される。その後、次の第１接着シートＡＳ１の先端が剥離板３１の先端で所定長さ剥離されたことが図示しない検知手段に検知されると、繰出手段２０が回動モータ２３Ａの駆動を停止し、再びスタンバイ状態となる。そして、第１被着体ＷＫ１の上面に第１接着シートＡＳ１全体が貼付されると、搬送手段６０が当該第１被着体ＷＫ１を次工程に搬送した後、以降上記同様の動作が繰り返される。
【００２０】
次に、シート処理装置１０を制御手段５０が第２被着体ＷＫ２に貼付された第２接着シートＡＳ２を剥離するシート剥離装置として機能させる場合、作業者がシート処理装置１０に剥離用テープＰＴを図１（Ｂ）中実線で示すようにセットする。次いで、作業者が切換え手段を介してシート処理装置１０をシート剥離装置として機能させるようにした後、図示しない操作手段を介して自動運転開始の信号を入力する。すると、剥離手段３０が回動モータ３２を駆動し、図１（Ｂ）に示すように、剥離板３１の先端で折り返した剥離用テープＰＴが搬送面ＴＳに沿って搬送される第２被着体ＷＫ２の上面に貼付された第２接着シートＡＳ２に接触する位置となるように剥離板３１を回動させる。また、押圧ローラ４１は、搬送面ＴＳに沿って搬送される第２接着シートＡＳ２を介して第２被着体ＷＫ２を押さえ付けることができる位置となるように、図示しない駆動機器によって移動される。これにより、第２接着シートＡＳ２を剥離するときに、第２被着体ＷＫ２が剥離される当該第２接着シートＡＳ２と共に引っ張られてストレスが与えられたり、損傷したりすることを防止することができる。次いで、繰出手段２０が回動モータ２３Ａを駆動し、剥離用テープＰＴを繰り出して当該剥離用テープＰＴの弛みを取った時点で回動モータ２３Ａの駆動を停止し、スタンバイ状態となる。そして、搬送手段６０によって、第２被着体ＷＫ２が搬送面ＴＳに沿って右方に搬送され、当該第２被着体ＷＫ２が所定の位置に到達したことがカメラ等の撮像手段や光学センサ等の図示しない検知手段に検知されると、繰出手段２０が回動モータ２３Ａを駆動し、第２被着体ＷＫ２の搬送速度に合わせて剥離用テープＰＴを繰り出す。次いで、第２接着シートＡＳ２の右端が剥離用テープＰＴに接触すると、当該第２接着シートＡＳ２は、剥離用テープＰＴに接着し、その後も搬送手段６０による第２被着体ＷＫ２の搬送が続行されると、当該第２接着シートＡＳ２は、図１（Ｂ）中二点鎖線で示すように、第２被着体ＷＫ２の上面から順次剥離される。なお、剥離用テープＰＴの第２接着シートＡＳ２への接着力は、当該第２接着シートＡＳ２の第２被着体ＷＫ２への接着力よりも大きいものが採用されている。そして、第２被着体ＷＫ２の上面から第２接着シートＡＳ２全体が剥離されると、繰出手段２０が回動モータ２３Ａの駆動を停止し、再びスタンバイ状態となるとともに、搬送手段６０が第２被着体ＷＫ２を次工程に搬送した後、以降上記同様の動作が繰り返される。
【００２１】
以上のような実施形態によれば、シート処理装置１０をシート貼付装置として使用することもできるし、シート剥離装置として使用することもできるので、異なる機能を有する装置の共通化を行い、それらを構成する部品の点数が増加することを防止できる。
【００２２】
本発明における手段および工程は、それら手段および工程について説明した動作、機能または工程を果たすことができる限りなんら限定されることはなく、まして、前記実施形態で示した単なる一実施形態の構成物や工程に全く限定されることはない。例えば、繰出手段は、帯状の剥離シートの一方の面に接着シートが仮着された原反または、帯状の剥離用テープを繰り出すことが可能なものであれば、出願当初の技術常識に照らし合わせ、その技術範囲内のものであればなんら限定されることはない（他の手段および工程も同様でありその説明は省略する）。
【００２３】
繰出手段２０は、図１中二点鎖線で示すように、支持ローラ２１を駆動する駆動機器としての回動モータ２１Ａを設けてもよいし、剥離シートＲＬに仮着された帯状の接着シート基材に複数の閉ループ状の切込が形成されることで、その内側が第１接着シートＡＳ１とされた原反を繰り出してもよいし、帯状の接着シート基材が剥離シートＲＬに仮着された原反が採用された場合、カッター刃、カッターローラ、レーザカッタ、イオンビーム、火力、熱、水圧、電熱線、気体や液体等の吹付け等の切断部材により、接着シート基材を所定形状に切断してその内側を第１接着シートＡＳ１としてもよいし、多関節ロボットや適宜な駆動機器を組み合わせたもので切断部材を移動させて切断するようにしてもよいし、第１接着シートＡＳ１を剥離シートＲＬから剥離する際、原反ＲＳに所定の張力が付与されるように回動モータ２３Ａや２１Ａのトルク制御を行ってもよいし、支持ローラ２１、ガイドローラ２２、回収ローラ２５の代わりに板状部材やシャフト部材等で原反ＲＳや剥離用テープＰＴを支持したり、案内したり、回収したりしてもよいし、駆動ローラ２３とピンチローラ２４とで剥離シートＲＬや剥離用テープＰＴを挟み込むことなくそれらに繰出力を付与する構成でもよいし、原反ＲＳや剥離用テープＰＴを巻回することなく例えばファンフォールド折りにして支持してもよいし、剥離シートＲＬや剥離用テープＰＴを巻回することなく、例えばファンフォールド折りにしたり、シュレッダ等で切り刻んだりして回収してもよい。
【００２４】
剥離手段３０は、剥離部材として、図２に示すように、ブラケット３３に回転自在に支持された剥離ローラ３４を採用してもよいし、丸棒やシャフト部材等で構成してもよいし、回動モータ３２がなくてもよいし、剥離ローラ３４を採用する場合、当該剥離ローラ３４を駆動させる駆動機器を採用してもよいし、剥離する第２接着シートＡＳ２の剥離開始端部に剥離用テープＰＴを貼付するとき、回動モータ３２を駆動し、当該第２接着シートＡＳ２の剥離開始端部に剥離用テープＰＴを複数回打ち付けるようにしてもよいし、貼付する接着シート（第１接着シートＡＳ１）の接着力を向上させるため、または、剥離する接着シート（第１接着シートＡＳ１または第２接着シートＡＳ２）の接着力を低下させるために、剥離板３１や剥離ローラ３４等の内部や外部に、コイルヒータやヒートパイプの加熱側等の加熱手段、ペルチェ素子やヒートパイプの冷却側等の冷却手段、紫外線、赤外線、Ｘ線、マイクロ波等の電磁波照射手段、超音波振動装置、偏芯モータ、バイブレータ等の振動手段、レーザ照射手段、乾燥機、送風機、プラズマ照射機等の接着力変更手段を設けてもよく、このような接着力変更手段は、第１、第２接着シートＡＳ１、ＡＳ２の特性、特質、性質、材質、組成および構成等に応じて適宜なものを採用することができる。
接離手段は、回動モータ３２の代わりに剥離板３１や剥離ローラ３４等を直線的に移動させる駆動機器を採用してもよいし、なくてもよい。
【００２５】
押圧手段４０は、押圧ローラ４１を第１、第２被着体ＷＫ１、ＷＫ２に離間接近させる押圧手段接離手段を設け、第１、第２被着体ＷＫ１、ＷＫ２にストレスがかかったり、それらが損傷したりすることを防止するようにしたり、駆動機器をなくして手動で押圧ローラ４１を昇降させたりしてもよいし、押圧ローラ４１の代わりに、丸棒、ブレード材、ゴム、樹脂、スポンジ、エアの吹き付け等で第１、第２接着シートＡＳ１、ＡＳ２を第１、第２被着体ＷＫ１、ＷＫ２に押圧してもよいし、押圧ローラ４１の表面をゴムや樹脂等の弾性変形が可能な部材で構成してもよいし、金属や陶器等の弾性変形しない部材で構成してもよいし、第２被着体ＷＫ２から第２接着シートＡＳ２を剥離するときに、当該第２接着シートＡＳ２を介して第２被着体ＷＫ２を押さえ付けなくてもよいし、押圧ローラ４１を適宜な駆動機器で回転するように構成してもよい。
【００２６】
制御手段５０は、カメラ等の撮像手段、光学センサ、超音波センサ、エコーセンサ、レーザセンサ、圧力センサ、磁石等の金属検知手段、リミットスイッチ等を切換え手段とし、繰出手段２０にセットされた原反ＲＳと剥離用テープＰＴとを自動で判別するようにしてシート処理装置１０が自動で機能変更するようにしてもよいし、搬送手段６０を制御するようにしてもよい。
【００２７】
搬送手段６０は、リニアモータのスライダに支持された支持テーブルで構成し、減圧ポンプや真空エジェクタ等の減圧手段、メカチャックやチャックシリンダ等のチャック手段、クーロン力、接着剤、粘着剤、磁力、ベルヌーイ吸着、駆動機器等で第１、第２被着体ＷＫ１、ＷＫ２を支持して搬送するように構成してもよいし、第１被着体ＷＫ１を移動させることなくシート処理装置１０を移動させたり、第１被着体ＷＫ１とシート処理装置１０との両方を移動させたりして第１被着体ＷＫ１に第１接着シートＡＳ１を貼付してもよいし、第２被着体ＷＫ２を移動させることなくシート処理装置１０を移動させたり、第２被着体ＷＫ２とシート処理装置１０との両方を移動させたりして第２被着体ＷＫ２から第２接着シートＡＳ２を剥離してもよいし、第１被着体ＷＫ１を搬送するものと、第２被着体ＷＫ２を搬送するものとを１体で構成してもよいし、複数の同一のもので構成してもよいし、複数の異なるもので構成してもよい。
【００２８】
シート処理装置１０は、図２（Ａ）に示すように、搬送手段６０の上方所定位置にシート貼付装置として機能させたシート処理装置１０Ａを配置し、当該搬送手段６０の被着体搬送方向下流側に、剥離部材が当該シート処理装置１０Ａと同じ方向を向くようにシート剥離装置として機能させたシート処理装置１０Ｂを配置し、例えば、第１接着シートＡＳ１上に第２接着シートＡＳ２が積層された第３接着シートＡＳ３をシート処理装置１０Ａで第１被着体ＷＫ１に貼付した後、シート処理装置１０Ｂの剥離ローラ３４を過ぎた位置から第１被着体ＷＫ１を搬送手段６０で逆送させ、第２接着シートＡＳ２をシート処理装置１０Ｂで第１接着シートＡＳ１から剥離するようにしてもよいし、第１接着シートＡＳ１をシート処理装置１０Ａで第１被着体ＷＫ１に貼付し、当該第１接着シートＡＳ１をシート処理装置１０Ｂで第１被着体ＷＫ１から剥離するようにしてもよい。
また、シート処理装置１０は、図２（Ｂ）に示すように、搬送手段６０の上方所定位置にシート処理装置１０Ａを配置し、当該搬送手段６０の被着体搬送方向下流側に、剥離部材が当該シート処理装置１０Ａと対向するようにシート処理装置１０Ｂを配置し、例えば、第３接着シートＡＳ３をシート処理装置１０Ａで第１被着体ＷＫ１に貼付した後、第２接着シートＡＳ２をシート処理装置１０Ｂで第１接着シートＡＳ１から剥離するようにしてもよいし、第１接着シートＡＳ１をシート処理装置１０Ａで第１被着体ＷＫ１に貼付し、当該第１接着シートＡＳ１をシート処理装置１０Ｂで第１被着体ＷＫ１から剥離するようにしてもよい。
【００２９】
シート処理装置１０は、支持ローラ２１を駆動する回動モータ２１Ａを設け、図２（Ｃ）に示すように、搬送手段６０の上方所定位置にシート貼付装置として機能させたシート処理装置１０Ｃを配置し、当該搬送手段６０の被着体搬送方向下流側に、剥離部材が当該シート処理装置１０Ｃと同じ方向を向くようにシート剥離装置として機能させたシート処理装置１０Ｄを配置してもよい。この場合、シート処理装置１０Ｄの回収ローラ２５で剥離用テープＰＴを支持し、支持ローラ２１で剥離用テープＰＴを回収させる。そして、例えば、第３接着シートＡＳ３をシート処理装置１０Ｃで第１被着体ＷＫ１に貼付した後、第２接着シートＡＳ２をシート処理装置１０Ｄで第１接着シートＡＳ１から剥離するようにしてもよいし、第１接着シートＡＳ１をシート処理装置１０Ｃで第１被着体ＷＫ１に貼付し、当該第１接着シートＡＳ１をシート処理装置１０Ｄで第１被着体ＷＫ１から剥離するようにしてもよい。
また、シート処理装置１０は、図２（Ｄ）に示すように、搬送手段６０の上方所定位置にシート処理装置１０Ｃを配置し、当該搬送手段６０の被着体搬送方向下流側に、剥離部材が当該シート処理装置１０Ａと対向するようにシート処理装置１０Ｄを配置し、例えば、第３接着シートＡＳ３をシート処理装置１０Ｃで第１被着体ＷＫ１に貼付した後、シート処理装置１０Ｄの剥離ローラ３４を過ぎた位置から第１被着体ＷＫ１を搬送手段６０で逆送させ、第２接着シートＡＳ２をシート処理装置１０Ｄで第１接着シートＡＳ１から剥離するようにしてもよいし、第１接着シートＡＳ１をシート処理装置１０Ｃで第１被着体ＷＫ１に貼付し、当該第１接着シートＡＳ１をシート処理装置１０Ｄで第１被着体ＷＫ１から剥離するようにしてもよい。
【００３０】
シート処理装置１０は、シート貼付装置として機能させるシート処理装置１０と、シート剥離装置として機能させるシート処理装置１０との少なくとも一方の剥離手段３０に剥離板３１で構成された剥離部材を採用し、剥離板３１が採用されない剥離手段３０にブラケット３３に支持された剥離ローラ３４で構成された剥離部材を採用してもよいし、シート貼付装置またはシート剥離装置として単体機として使用してもよいし、シート貼付装置およびシート剥離装置を有する複合機として使用してもよいし、あるシート処理装置１０をシート貼付装置として機能させて第１接着シートＡＳ１を第１被着体ＷＫ１に貼付し、別のシート処理装置１０をシート剥離装置として機能させて当該第１被着体ＷＫ１から第１接着シートＡＳ１を剥離するように構成してもよい。
シート処理装置１０は、天地反転して配置したり横向きに配置したりして、第１被着体ＷＫ１の下面や側面等に第１接着シートＡＳ１を貼付し、第２被着体ＷＫ２の下面や側面等から第２接着シートＡＳ２を剥離するように構成してもよいし、接着シート上に２枚以上の接着シートを積層したものを第１被着体ＷＫ１に貼付してもよいし、接着シート上に２枚以上の接着シートを積層したものから１枚または複数枚の接着シートを剥離するようにしてもよい。
本発明における第１、第２接着シートＡＳ１、ＡＳ２、剥離用テープＰＴおよび第１、第２被着体ＷＫ１、ＷＫ２の材質、種別、形状等は、特に限定されることはない。例えば、第１、第２接着シートＡＳ１、ＡＳ２、剥離用テープＰＴは、円形、楕円形、三角形や四角形等の多角形、その他の形状であってもよいし、感圧接着性、感熱接着性等の接着形態のものであってもよく、感熱接着性の第１、第２接着シートＡＳ１、ＡＳ２、剥離用テープＰＴが採用された場合は、当該第１、第２接着シートＡＳ１、ＡＳ２、剥離用テープＰＴを加熱する適宜なコイルヒータやヒートパイプの加熱側等の加熱手段を設けるといった適宜な方法で接着されればよい。また、このような第１、第２接着シートＡＳ１、ＡＳ２、剥離用テープＰＴは、例えば、接着剤層だけの単層のもの、基材シートと接着剤層とで構成されたもの、基材シートと接着剤層との間に中間層を有するもの、接着剤層の間に中間層を有するもの等、１層または２層以上のものであってよい。また、第１、第２被着体ＷＫ１、ＷＫ２としては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂板等、任意の形態の部材や物品なども対象とすることができる。なお、第１、第２接着シートＡＳ１、ＡＳ２を機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意の形状の任意のシート、フィルム、テープ等を前述のような任意の第１、第２被着体ＷＫ１、ＷＫ２に貼付することができる。
【００３１】
前記実施形態における駆動機器は、回動モータ、直動モータ、リニアモータ、単軸ロボット、多関節ロボット等の電動機器、エアシリンダ、油圧シリンダ、ロッドレスシリンダおよびロータリシリンダ等のアクチュエータ等を採用することができる上、それらを直接的又は間接的に組み合せたものを採用することもできる（実施形態で例示したものと重複するものもある）。
【符号の説明】
【００３２】
１０…シート処理装置
２０…繰出手段
３０…剥離手段
３１…剥離板（剥離部材）
３２…回動モータ（接離手段）
３４…剥離ローラ（剥離部材）
４０…押圧手段
５０…制御手段
ＡＳ１…第１接着シート（接着シート）
ＡＳ２…第２接着シート（他の接着シート）
ＰＴ…剥離用テープ
ＲＬ…剥離シート
ＲＳ…原反
ＷＫ１…第１被着体（被着体）
ＷＫ２…第２被着体（他の被着体） 
【図１】
0006722476.tif 000002
【図２】
0006722476.tif 000003